(57)【要約】【課題】歯間ブラシを用いた歯間の清掃と、薬液を用いた歯間の洗浄・消毒とを、手間を掛けずに行えるようにする。【解決手段】歯間ブラシであって、薬液の噴出口２２を有する。この歯間ブラシは、容器の形態の薬液ホルダ２５を取り付けおよび取り外し可能である。取り付けられた薬液ホルダ２５は、連通路２１によって噴出口２２と連通している。薬液ホルダ２５を押圧することにより、ホルダ２５内の薬液２８を噴出口２２から噴出させることが可能である。【選択図】図１
2017104486.tif 000002
【特許請求の範囲】
【請求項１】
薬液の噴出口を有することを特徴とする歯間ブラシ。
【請求項２】
ハンドルとブラシとを有し、
ブラシは、一端側がハンドルに埋め込み状態で固定されたねじりワイヤと、ねじりワイヤにおけるハンドルから露出した他端側に保持された多数のフィラメントとを有し、噴出口は、ハンドルに設けられて、フィラメントに向けて薬液を噴出可能であることを特徴とする請求項１記載の歯間ブラシ。
【請求項３】
ハンドルとブラシとを有し、
ブラシは多数のフィラメントを有し、
噴出口は、ブラシにおけるフィラメントが存在する部分に設けられていることを特徴とする請求項１記載の歯間ブラシ。
【請求項４】
ブラシは、一端側がハンドルに埋め込み状態で固定され他端側がハンドルから外部に突出するチューブと、このチューブの外面に沿って設けられたねじりワイヤとを有し、
フィラメントはねじりワイヤにおけるハンドルから露出した部分に保持されており、
噴出口は、チューブにおける前記他端側に設けられて、チューブの内部と連通していることを特徴とする請求項３記載の歯間ブラシ。
【請求項５】
ハンドルとブラシとを有し、
ブラシは、一端側がハンドルに埋め込み状態で固定され他端側がハンドルから外部に突出し、
ブラシは、前記他端側に設けられた樹脂製の複数の細突起を有し、
噴出口は、ブラシにおける前記他端側に設けられていることを特徴とする請求項１記載の歯間ブラシ。
【請求項６】
噴出口は、細突起の表面に開口していることを特徴とする請求項５記載の歯間ブラシ。
【請求項７】
容器の形態の薬液ホルダを取り付けおよび取り外し可能であり、取り付けられた薬液ホルダは連通路によって噴出口と連通しており、薬液ホルダを押圧することによりホルダ内の薬液を噴出口から噴出させることが可能であることを特徴とする請求項１から６までのいずれか１項記載の歯間ブラシ。
【請求項８】
薬液を貯留可能であるとともに、請求項１から６までのいずれか１項に記載の歯間ブラシに対して取り付けおよび取り外し可能であり、歯間ブラシに取り付けられたときに歯間ブラシの連通路によって噴出口と連通可能であり、貯留している薬液を噴出口から噴出させることが可能であることを特徴とする薬液ホルダ。
【発明の詳細な説明】
【技術分野】
【０００１】
本発明は歯間ブラシに関する。
【背景技術】
【０００２】
一般的な歯間ブラシは、Ｌ形あるいはＩ形に形成された樹脂製のハンドルの先端にブラシが取り付けられたものである。ブラシは、一端側がハンドルに埋め込まれて固定されたねじりワイヤと、ねじりワイヤの他端側であってハンドルから露出した部分においてこのねじりワイヤによって保持された多数のフィラメントとを有する（特許文献１）。あるいは、ハンドルと一体または別体となった支持棒の先端側に軟質樹脂製のブラシ体を設けた歯間ブラシも知られている。
【０００３】
歯間ブラシのほかに、口腔内を洗浄・消毒する薬液が提供されている。使用者は、この薬液を口に含んで口腔内で撹拌させることによって、所期の洗浄・消毒を行う。
【先行技術文献】
【特許文献】
【０００４】
【特許文献１】特開２００８−１５４９０１号公報
【発明の概要】
【発明が解決しようとする課題】
【０００５】
歯間ブラシを用いた歯間の清掃と、薬液を用いた口腔、特に歯間の洗浄・消毒とは、別の手順で行うことが必要である。したがって、特に歯間の手入れには相応の手間を要する。
【０００６】
本発明は、歯間ブラシを用いた歯間の清掃と、薬液を用いた歯間の洗浄・消毒とを、手間を掛けずに行えるようにすることを目的とする。
【課題を解決するための手段】
【０００７】
この目的を達成するために本発明の歯間ブラシは、薬液の噴出口を有することを特徴とする。
【０００８】
本発明の薬液ホルダは、薬液を貯留可能であるとともに、上記の歯間ブラシに対して取り付けおよび取り外し可能であり、歯間ブラシに取り付けられたときに歯間ブラシの連通路によって噴出口と連通可能であり、貯留している薬液を噴出口から噴出させることが可能であることを特徴とする。
【発明の効果】
【０００９】
本発明によれば、歯間ブラシの噴出口から薬液を噴出させることで歯間ブラシによって清掃している歯間の部分を、薬液によって、同時に、手間を掛けずに洗浄・消毒することができる。
【図面の簡単な説明】
【００１０】
【図１】本発明の実施の形態の歯間ブラシを示す図である。
【図２】図１における要部を拡大して示す図である。
【図３】図２に示された部分の変形例を示す図である。
【図４】本発明の他の実施の形態の歯間ブラシの要部を示す図である。
【図５】本発明のさらに他の実施の形態の歯間ブラシの要部を示す図である。
【図６】図５に示された部分の変形例を拡大して示す図である。
【発明を実施するための形態】
【００１１】
図１に示される歯間ブラシは、樹脂製のハンドル１１と、ブラシ１２とを有する。ハンドル１１はＬ形に形成されており、その先端の屈曲部１３にブラシ１２が取り付けられている。ブラシ１２はねじりワイヤ１４とフィラメント１５とを有する。ねじりワイヤ１４は、その一端側の部分１６が、ハンドル１１の屈曲部１３の樹脂中に埋設されて固定されている。ねじりワイヤ１４の他端側の部分１７はハンドル１１の屈曲部１３よりも外方へ露出している。この露出部において、多数のフィラメント１５がワイヤ１４のねじり作用によってこのワイヤ１４に保持されている。
【００１２】
図１および図２に示すように、屈曲部１３の先端におけるねじりワイヤ１４の周囲には、凹部１８が形成されている。一方、図１に示すように、ハンドル１１における屈曲部１３とは反対側の基端部１９には、その端面から内ねじ２０が形成されている。そして、凹部１８と内ねじ２０の内部空間との間は、細孔により形成された連通路２１にて、互いに連通されている。屈曲部１３において、凹部１８の開口端は噴出口２２を構成している。凹部１８は、噴出口２２に向うにつれて口径が小さくなる先細り形状とされている。
【００１３】
内ねじ２０には、薬液ホルダ２５の液出し口２６に形成された外ねじ２７をねじ込み可能である。薬液ホルダ２５は、樹脂製の薄肉の容器にて形成されており、その内部に、歯間を洗浄・消毒することが可能な薬液２８を貯留している。そして薬液ホルダ２５は、使用者が指先にてこの薬液ホルダ２５を押圧することで、弾性変形して、その内部に貯留していた薬液２８を液出し口２６から外部へ取り出し可能である。
【００１４】
薬液ホルダ２５は、歯間ブラシとは別体のものであって、外ねじ２７を利用して液出し口２６がキャップで閉じられているものを準備することができる。使用時には、そのキャップを取り外して、外ねじ２７を内ねじ２０にねじ込むことによって、図１に示すように歯間ブラシのハンドル１１に装着される。
【００１５】
使用者は、歯間ブラシによって歯間を清掃しているときに、指先にて薬液ホルダを押圧する。すると、薬液ホルダ２５の内部の薬液２８は、液出し口２６から押し出され、ハンドル１１に形成された連通路２１を通って先細り形状の凹部１８に達し、噴出口２２から所要の勢いで外部へ噴出される。噴出口２２から噴出された薬液は、ブラシのフィラメント１５およびその近傍に到達するため、このフィラメント１５で清掃している歯間の部分を同時に洗浄・消毒することができる。
【００１６】
薬液ホルダ２５に貯留される薬液２８の量は、たとえば歯間ブラシで口腔内を１回清掃するときに歯間を洗浄・殺菌するのに足る量であれば十分である。薬液２８を貯留した薬液ホルダ２５は、衛生のために、いわゆる「使いきり」とすることが望ましく、使用後に薬液２８が残った場合でも廃棄すべきである。このとき、歯間ブラシは通常は複数回にわたって使用するものであるため、使い終わったホルダ２５のみをハンドル１１からねじ外して廃棄し、次に歯間ブラシを使用するときなどにおいて新たな薬液ホルダ２５をハンドル１１に取り付ければよい。口腔内を１回清掃するときに、種類の異なる複数の歯間ブラシを使用する場合には、薬液２８の残っているホルダ２５を使用済の歯間ブラシからねじ外して、これを次に使用する別の種類の歯間ブラシにねじ込んで装着すればよい。要するに、ホルダ２５は、一度に複数種類の歯間ブラシを使用するときには、これらの歯間ブラシに対して任意に付け替えることが可能である。一方、歯間ブラシを使用している途中で何らかの理由によって薬液２８を使いきったときには、新たなホルダ２５に交換することができる。
【００１７】
歯間ブラシを１回の使用ごとに新品と交換する場合には、使い終わった歯間ブラシとともに薬液ホルダ２５を廃棄することができる。この場合は、ハンドル１１と薬液ホルダ２８とを、図示のような別体ではなく、一体成形とすることもできる。
【００１８】
図１および図２の例では、噴出口２２は、ねじりワイヤ１４の周囲に形成された凹部１８によって構成されているが、それ以外の任意の構成とすることもできる。たとえば、図３に示すように、屈曲部１３におけるねじりワイヤ１４の設置個所以外の部分に連通路２１を開口させることによって噴出口２２を形成することもできる。
【００１９】
ハンドル１１への薬液ホルダ２５の取付構造は、上述のようなねじ締結構造に限られず、任意の構造を採用することができる。たとえば適宜のはめ込み構造やその他の構造を採用することもできる。特に必要であれば、薬液ホルダ２５とハンドル１１との間にシール構造を用いてもよい。たとえばＯリングによってシールする構成とすれば、同時に、このＯリングの弾力によって薬液ホルダ２５をハンドル１１に保持させることも可能である。
【００２０】
図示の例では、薬液ホルダ２５として、開口した構成の液出し口２６を備えたものを説明した。これに代えて、たとえば薬液ホルダ２５を密閉式とし、この密閉構造の薬液ホルダ２５をハンドル１１に取り付けるときに、ハンドル１１に設けられた尖部によってホルダ２５を突き破って開口させるようにしてもよい。
【００２１】
図示の例では、薬液ホルダ２５をハンドル１１の基端部１９に取り付けるようにしたものを説明したが、薬液ホルダ２５の取り付け位置は、これに限られるものではなく、適宜の箇所とすることもできる。
【００２２】
上記においては、噴出口２２がハンドル１１に形成されたものについて説明した。しかし、これに代えて、噴出口２２をブラシ１２の部分に形成することも可能である。特に、ブラシ１２における上述のフィラメント１５が保持されている位置に噴出口２２を形成すれば、フィラメント１５によって清掃している歯間に確実に薬液を噴出させることができる。噴出口２２を形成する態様は任意である。
【００２３】
たとえば、図４に示される本発明の他の実施の形態においては、ブラシ１２は、フィラメント１５を保持するねじりワイヤ１４と樹脂製のチューブ３０とを備えている。ねじりワイヤ１４とチューブ３０との配置の態様は任意である。たとえば、図示のように、中心部に配置したチューブ３０の周囲にねじりワイヤ１４の線材が設置されて両者が一体化された構成とすることができる。このねじりワイヤ１４とチューブ３０とを備えたブラシ１２は、その一端側がハンドル１１の屈曲部１３に埋め込み状態で固定されるとともに、その他端側がハンドル１１から外部に突出している。チューブ３０の内部には、ハンドル１１の連通路２１と連通した薬液供給路３１が形成されている。そして、ブラシ１２におけるフィラメント１５が保持されている部分では、チューブ３０を貫通して薬液供給路３１に連通する複数の噴出口２２が形成されている。ねじりワイヤ１４を構成する線材は、噴出口２２と重ならないように、噴出口２２を避けた位置に配置されている。
【００２４】
この図４の構成によれば、ハンドル１１の連通路２１からの薬液２８は、薬液供給路３１を通ったうえで、噴出口２２から外部へ噴出される。その場合に、薬液２８はブラシ１２におけるフィラメント１５が保持されている部分から噴出されるため、フィラメント１５で清掃している歯間の部分を同時かつ直接に洗浄・消毒することができる。
【００２５】
図５は、本発明のさらに他の実施の形態であって、上述のものとはブラシの構成が異なるものを示す。すなわち図５に示されたブラシ３２は、支持チューブ３３とブラシ体３４とを有する。支持チューブ３３は、樹脂製で、その一端側がハンドル１１の屈曲部１３に埋め込み状態で固定されるとともに、その他端側がハンドル１１から外部に突出している。支持チューブ３３の内部には、ハンドル１１の連通路２１と連通した薬液供給路３１が形成されている。ブラシ体３４は、軟質樹脂製で、支持チューブ３３の他端側を覆うように形成されており、支持チューブ３３の周方向及び長さ方向に沿って、ブラシ機能を発揮する多数の細突起３５が形成されている。ブラシ体３４における細突起３５が形成されていない複数の箇所には、ブラシ体３４および支持チューブ３３を貫通して薬液供給路３１に連通する複数の噴出口２２が形成されている。
【００２６】
この図５の構成によれば、ハンドル１１の連通路２１からの薬液２８は、薬液供給路３１を通ったうえで、噴出口２２から外部へ噴出される。その場合に、薬液２８はブラシ体３４から直接に噴出されるため、ブラシ体３４で清掃している歯間の部分を同時に洗浄・消毒することができる。
【００２７】
図６は、図５に示された実施の形態の変形例を示す。この例では、ブラシ体３４の薬液供給路３１に連通する噴出口２２が、ブラシ体３４における細突起３５の表面に開口するように構成される。
【００２８】
このような構成であると、図５のものと同様に、ブラシ体３４で清掃している歯間の部分を同時に洗浄・消毒することができる。そして、そのときに薬液２８が細突起３５から噴出されるために、この細突起３５で清掃している歯間の部分を直接に洗浄・消毒することができる。
【符号の説明】
【００２９】
１１    ハンドル
１２    ブラシ
１４    ねじりワイヤ
１５    フィラメント
２２    噴出口
２５    薬液ホルダ
２８    薬液
３４    ブラシ体
３５    細突起
【図１】
2017104486.tif 000003
【図２】
2017104486.tif 000004
【図３】
2017104486.tif 000005
【図４】
2017104486.tif 000006
【図５】
2017104486.tif 000007
【図６】
2017104486.tif 000008